Podtech/llm-jp-corpus-v4-ja_patent huggingface dataset:
(57)【要約】      （修正有）【課題】マッサージ効果を増大させることができる健康振動クッションを提供する。【解決手段】健康振動クッション１において、振動装置７を内蔵した弾性素材からなるマット体３を可撓性を有するカバー２に収容するとともに、カバー２とマット体３との間にマイナスイオン又は／及び遠赤外線を放射する機能を有する可撓性のシート４を設けることにした。これにより、マイナスイオンや遠赤外線によって血液細胞を活性化させながら振動によってマッサージを行うことができ、マッサージ効果を増大させることができる。【選択図】図１
0003200486.tif 000002
【実用新案登録請求の範囲】
【請求項１】
振動装置を内蔵した弾性素材からなるマット体を可撓性を有するカバーに収容するとともに、カバーとマット体との間にマイナスイオン又は／及び遠赤外線を放射する機能を有する可撓性のシートを設けたことを特徴とする健康振動クッション。
【考案の詳細な説明】
【技術分野】
【０００１】
本考案は、クッションを振動させるとともに、マイナスイオンや遠赤外線を放射させることができる健康振動クッションに関するものである。
【背景技術】
【０００２】
従来より、クッションの内部に振動装置を内蔵することで、マッサージ機能を有するクッションが知られている（たとえば、特許文献１参照。）。
【先行技術文献】
【特許文献】
【０００３】
【特許文献１】実用新案登録第３０９２００８号公報
【考案の概要】
【考案が解決しようとする課題】
【０００４】
ところが、従来のクッションでは、振動によるマッサージ機能を有するだけの構造となっており、マッサージ効果の低いものばかりであった。
【課題を解決するための手段】
【０００５】
そこで、本考案では、健康振動クッションにおいて、振動装置を内蔵した弾性素材からなるマット体を可撓性を有するカバーに収容するとともに、カバーとマット体との間にマイナスイオン又は／及び遠赤外線を放射する機能を有する可撓性のシートを設けることにした。
【考案の効果】
【０００６】
そして、本考案では、以下に記載する効果を奏する。
【０００７】
すなわち、本考案では、健康振動クッションにおいて、振動装置を内蔵した弾性素材からなるマット体を可撓性を有するカバーに収容するとともに、カバーとマット体との間にマイナスイオン又は／及び遠赤外線を放射する機能を有する可撓性のシートを設けているために、使用者の体重によって健康振動クッションが使用者の身体に密着し、使用者の身体に振動が伝達されるだけでなく、使用者の身体にマイナスイオンや遠赤外線が放射され、血液細胞を活性化させながらマッサージを行うことができるので、マッサージ効果を増大させることができる。
【図面の簡単な説明】
【０００８】
【図１】本考案に係る健康振動クッションを示す正面図（ａ）、側面図（ｂ）。
【図２】同側面拡大断面図。
【考案を実施するための形態】
【０００９】
以下に、本考案に係る健康振動クッションの具体的な構成について図面を参照しながら説明する。
【００１０】
図１及び図２に示すように、健康振動クッション１は、カバー２の内部にマット体３を収容するとともに、カバー２とマット体３との間にシート４を設けた構造となっている。
【００１１】
カバー２は、革や布やビニールなどの素材からなり、矩形平板形状の袋であり、可撓性を有している。なお、内部のマット体３やシート４を挿抜できるように、開口部にファスナーなどを設けた構成としてもよい。
【００１２】
マット体３は、上下一対のマット5,6の間に振動装置７を収容している。
【００１３】
マット5,6は、ウレタンやゴムなどの弾性素材で矩形平板形状に形成している。なお、マット5,6として低反発ウレタンを用いることで使用者の身体への負担を軽減させることができる。
【００１４】
振動装置７は、振動モータ等の振動源８にリング状の振動子９を接続している。振動源８には、電源を接続する。なお、電源は、健康振動クッション１の内部に設けてもよく、或は、外部の電源を用いてもよい。
【００１５】
マット体３は、振動装置７の振動源８を駆動することで振動子９が振動し、その振動がマット5,6に伝達し、マット5,6が全体的に振動するようになっている。
【００１６】
シート４は、マイナスイオンや遠赤外線を放射する物質が含有された素材からなり、矩形薄板形状であり、可撓性を有している。
【００１７】
ここで、マイナスイオンを放射する物質としては、天然希土鉱石（天然の希土類の鉱石）の粉末を用いることができる。
【００１８】
また、遠赤外線を照射する物質としては、通称テラヘルツと言われるリン酸塩鉱石等の遠赤外線放射セラミックスの粉末を用いることができる。
【００１９】
そして、シート４としては、和紙や布などの表面に天然希土鉱石やリン酸塩鉱石などの粉末を付着させたものを用いることができる。
【００２０】
健康振動クッション１は、以上に説明したように構成している。なお、上記構成は、本考案の一実施例に過ぎず、製品に応じて形状や材質やサイズなどを適宜変更することができる。
【００２１】
上記健康振動クッション１は、屋内や車内などにおいてイスや床に載置し、使用者の腰部や臀部などの身体に当接させて使用する。
【００２２】
そして、上記健康振動クッション１では、振動装置７を内蔵した弾性素材からなるマット体３を可撓性を有するカバー２に収容するとともに、カバー２とマット体３との間にマイナスイオン又は／及び遠赤外線を放射する機能を有する可撓性のシート４を設けた構成となっている。
【００２３】
そのため、上記構成の健康振動クッション１では、使用者の体重によって使用者の身体形状に沿ってカバー２やマット体（マット5,6）やシート４が変形するので、使用者の身体に密着させることができる。そして、上記構成の健康振動クッション１では、使用者の身体に振動を伝達することができるだけでなく、使用者の身体に向けてマイナスイオンや遠赤外線を放射することができる。これにより、上記構成の健康振動クッション１では、マイナスイオンや遠赤外線によって血液細胞を活性化させながら振動によってマッサージを行うことができ、マッサージ効果を増大させることができる。
【符号の説明】
【００２４】
１  健康振動クッション                      ２  カバー
３  マット体                                ４  シート
5,6  マット                                 ７  振動装置
８  振動源                                  ９  振動子
【図１】
0003200486.tif 000003
【図２】
0003200486.tif 000004
(57)【要約】      （修正有）【課題】壁等に大きな穴を開けることがなく、家庭用エアコンのリモコン等を壁等に引っ掛けることができると共に、画鋲としても使用できる固定ピンを提供する。【解決手段】頭部２と、頭部２と一体に形成された引っ掛け部３と、引っ掛け部３から延設される針部４と、を備えており、頭部２は、頂面２ａに、プラス又はマイナスドライバーの先端を嵌合できる嵌合穴５を有しており、引っ掛け部３は、頂面２ａの直径Ｄ１よりも小さい直径Ｄ２を有している。【選択図】図１
0003200458.tif 000002
【実用新案登録請求の範囲】
【請求項１】
頭部と、
前記頭部と一体に形成された引っ掛け部と、
前記引っ掛け部から延設される針部と、を備えており、
前記頭部は、頂面に、プラス又はマイナスドライバーの先端を嵌合できる嵌合穴を有しており、
前記引っ掛け部は、前記頂面の直径よりも小さい直径を有している
ことを特徴とする固定ピン。
【請求項２】
前記頭部及び前記引っ掛け部は、合成樹脂製又は金属製からなる
ことを特徴とする請求項１に記載の固定ピン。
【考案の詳細な説明】
【技術分野】
【０００１】
本考案は、家庭用エアコンのリモコン等を壁等に引っ掛けることができると共に、画鋲としても使用できる固定ピンに関する。
【背景技術】
【０００２】
家庭用エアコンの一般的なリモコンは、背面側に係止穴を備える。そして、ねじを壁等に取り付けて、取り付けられたねじにリモコンの係止穴を引っ掛けることで、リモコンを壁等に着脱自在に固定する。
【０００３】
ところで、壁等にねじを取り付けると、壁等には、ねじの直径の大きさのねじ穴が開くことになる。そのため、リモコンの設置場所を変更するときに、ねじを壁等から取り外すと、壁等に大きなねじ穴が残るので、見栄えが悪くなり、また、ねじ穴を埋めるためには補修作業を要するという問題がある。
【考案の概要】
【考案が解決しようとする課題】
【０００４】
そこで、本考案が解決しようとする課題は、壁等に大きな穴を開けることがなく、家庭用エアコンのリモコン等を壁等に引っ掛けることができると共に、画鋲としても使用できる固定ピンを提供することにある。
【課題を解決するための手段】
【０００５】
上記の課題を解決するために、本考案に係る固定ピンは、
頭部と、
頭部と一体に形成された引っ掛け部と、
引っ掛け部から延設される針部と、を備えており、
頭部は、頂面に、プラス又はマイナスドライバーの先端を嵌合できる嵌合穴を有しており、
引っ掛け部は、頂面の直径よりも小さい直径を有している。
【０００６】
好ましくは、
頭部及び引っ掛け部は、合成樹脂製又は金属製からなる。
【考案の効果】
【０００７】
本考案に係る固定ピンは、頭部と、頭部と一体に形成された引っ掛け部と、引っ掛け部から延設される針部と、を備えており、頭部は、頂面に、プラス又はマイナスドライバーの先端を嵌合できる嵌合穴を有しており、引っ掛け部は、頂面の直径よりも小さい直径を有している。
【０００８】
そのため、本考案に係る固定ピンにおいて、針部は細く構成されているので、壁等に取り付けられても、壁等に大きな穴が開くことがない。そして、壁等と頭部との間に配置される小径の引っ掛け部にリモコンの係止穴を引っ掛けて、リモコンを壁等に着脱自在に固定する。
【０００９】
さらに、本考案に係る固定ピンでは、頭部は、頂面に、プラス又はマイナスドライバーの先端を嵌合できる嵌合穴を有しているので、ドライバーの回転トルクを固定ピンに伝達できる。そのため、壁等が硬い木材等であっても、ドライバーを使って、固定ピンを壁等に取り付けることができる。
【図面の簡単な説明】
【００１０】
【図１】本発明に係る固定ピンを示す側面図。
【図２】固定ピンにリモコンを引っ掛ける方法を説明する斜視図。
【考案を実施するための形態】
【００１１】
以下、図面に基づいて、本考案に係る固定ピンの一実施形態を説明する。
【００１２】
図１の通り、固定ピン１は、頭部２を備える。頭部２は、円錐台形に構成されている。そのため、頭部２は、頂面２ａが円形になっている。頂面２ａの直径Ｄ１は、例えば６〜１０ｍｍ、好ましくは約８ｍｍである。
【００１３】
頭部２は、頂面２ａに、プラス又はマイナスドライバーの先端を嵌合できる嵌合穴５を有している。係合穴５は、例えば、十字形からなる。
【００１４】
固定ピン１は、さらに、頭部２と一体に形成された引っ掛け部３を備える。頭部２及び引っ掛け部３は、合成樹脂製又は金属製からなる。引っ掛け部３は、円筒形に構成されている。引っ掛け部３の直径Ｄ２は、頂面２ａの直径Ｄ１よりも小さい。引っ掛け部３の直径Ｄ２は、例えば３〜５ｍｍ、好ましくは約３．５ｍｍである。引っ掛け部３の長さＬは、例えば２〜３ｍｍ、好ましくは２．５ｍｍである。
【００１５】
固定ピン１は、さらに、引っ掛け部３から延設される針部４を備える。使用者は、針部４を壁等に突き刺すことで、固定ピン１を壁等に取り付ける。固定ピン１において、針部４は細く構成されているので、壁等に取り付けられても、壁等に大きな穴が開くことがない。
【００１６】
また、頭部２は、頂面２ａに、ドライバーの先端を嵌合できる嵌合穴５を有しているので、ドライバーの回転トルクを固定ピン１に伝達できる。そのため、壁等が硬い木材等であっても、ドライバーを使って、固定ピン１を壁等に取り付けることができる。
【００１７】
図２の通り、家庭用エアコンの一般的なリモコン１００は、背面側に係止穴１０１を備える。壁２００等と固定ピン１の頭部２との間に配置される引っ掛け部３にリモコン１００の係止穴１０１を引っ掛けて、リモコン１００を壁２００等に着脱自在に固定する。引っ掛け部３の直径Ｄ２は、頭部２の直径Ｄ１より小さいので、引っ掛け部３に引っ掛けられたリモコン１００の係止穴１０１は、頭部２に当たって、ずれ落ちることがない。
【００１８】
以上、本考案の好ましい実施形態を説明したが、本考案の構成はこの実施形態に限定されるものではない。
【符号の説明】
【００１９】
１  固定ピン
２  頭部
２ａ  頂面
３  引っ掛け部
４  針部
５  係合穴
Ｄ１  頂面の直径
Ｄ２  引っ掛け部の直径
【図１】
0003200458.tif 000003
【図２】
0003200458.tif 000004
(57)【要約】      （修正有）【課題】ベントナイトの厚さを自由に設定することができると共に、均一化されたベントナイト層を得ることができる粒状ベントナイト遮水マットを提供する。【解決手段】不織布１１と、不織布１１上に一体的に設けられ、不織布１１上に敷設される粒状ベントナイトを保持する立体網状構造体１２と、不織布１１上に敷設される粒状ベントナイトからなるベントナイト層Ｂと、を備える。遮水マット１０は、平面視略矩形状の帯状部材である。【選択図】図１
0003200995.tif 000002
【実用新案登録請求の範囲】
【請求項１】
不織布と、
前記不織布上に一体的に設けられ、前記不織布上に敷設される粒状ベントナイトを保持する立体網状構造体と、
前記不織布上に敷設される粒状ベントナイトからなるベントナイト層と、を備えることを特徴とする粒状ベントナイト遮水マット。
【請求項２】
前記立体網状構造体は、網状体を波形に成形したものであることを特徴とする請求項１に記載の粒状ベントナイト遮水マット。
【考案の詳細な説明】
【技術分野】
【０００１】
本考案は、粒状ベントナイトを使用した遮水マットに関する。
【背景技術】
【０００２】
従来では、織物、編物、不織布などの一対の透水性シート間に、ベントナイトなどの吸水膨潤性無機物質粒が接着剤で定着された遮水シートが知られている（例えば、特許文献１参照）。そして、従来の遮水シートでは、遮水シートの端部に他の遮水シートの端部を重ね合せることにより遮水シート同士を接合している。なお、上記従来の遮水シートは、ジオシンセティッククレイライナー（ＧＣＬ）とも呼ばれている。
【先行技術文献】
【特許文献】
【０００３】
【特許文献１】特開平０５−２８６０３６号公報
【考案の概要】
【考案が解決しようとする課題】
【０００４】
ところで、上記特許文献１に記載の遮水シートでは、ベントナイト自体の厚さが６ｍｍ以下で且つ接合部が重ね合わせであるため、ベントナイトの厚さを６ｍｍ以上確保するためには、遮水シートを積層させて敷設しなければならず、敷設コスト及び敷設工数が増加してしまっていた。また、接合部が重ね合わせであるため、接合不良による漏水、基盤沈下による重ね合わせ部分のズレが生じることがあった。
【０００５】
本考案は、前述した事情に鑑みてなされたものであり、その目的は、ベントナイト層の厚さを自由に設定することができると共に、均一化されたベントナイト層を得ることができる粒状ベントナイト遮水マットを提供することにある。
【課題を解決するための手段】
【０００６】
本考案の上記目的は、下記の構成により達成される。
（１）不織布と、不織布上に一体的に設けられ、不織布上に敷設される粒状ベントナイトを保持する立体網状構造体と、不織布上に敷設される粒状ベントナイトからなるベントナイト層と、を備えることを特徴とする粒状ベントナイト遮水マット。
（２）立体網状構造体は、網状体を波形に成形したものであることを特徴とする（１）に記載の粒状ベントナイト遮水マット。
【考案の効果】
【０００７】
本考案によれば、不織布と、不織布上に一体的に設けられ、不織布上に敷設される粒状ベントナイトを保持する立体網状構造体と、不織布上に敷設される粒状ベントナイトからなるベントナイト層と、を備えるため、立体網状構造体の高さを調整することにより、ベントナイト層の厚さを自由に設定することができる。また、遮水マット同士を付き合わせで敷設することができるため、従来の重ね合わせによる接合のような接合不良や重ね合わせ部分のズレが生じることがなく、シームレスで均一化されたベントナイト層を得ることができる。
【図面の簡単な説明】
【０００８】
【図１】本考案に係る粒状ベントナイト遮水マットの一実施形態の敷設した状態を説明する断面図である。
【図２】図１に示す粒状ベントナイト遮水マットの平面図である。
【考案を実施するための形態】
【０００９】
以下、本考案に係る粒状ベントナイト遮水マットの一実施形態について、図面に基づいて詳細に説明する。
【００１０】
本実施形態の粒状ベントナイト遮水マット（以下、単に「遮水マット」とも言う）１０は、図１に示すように、不織布１１と、不織布１１上に一体的に設けられ、不織布１１上に敷設される粒状ベントナイトを保持する立体網状構造体１２と、不織布１１上に敷設される粒状ベントナイトからなるベントナイト層Ｂと、を備える。また、遮水マット１０は、図２に示すように、平面視略矩形状の帯状部材であり、例えば、幅Ｗが２ｍ、長さＬが任意に設定されている。
【００１１】
そして、遮水マット１０は、廃棄物処分場などの被遮水面（地面やコンクリートなど）に敷設されるものであり、遮水マット１０の不織布１１及び立体網状構造体１２上に粒状ベントナイトが敷設された後、敷設された粒状ベントナイトに水を含浸させることによりベントナイト層Ｂが形成される。また、不織布１１と立体網状構造体１２とにより１つのマットが構成されている。
【００１２】
立体網状構造体１２は、図１及び図２に示すように、網状体を波形に成形したものであり、その波形は遮水マットの１０の長手方向に対して斜めに成形されている。また、立体網状構造体１２の高さＨは、任意に設定可能であるが、本実施形態では、６ｍｍ〜１０ｍｍとする。
【００１３】
また、不織布１１は、例えば、ポリエステルであり、その目付は、例えば、８０ｇ／ｍ２である。また、立体網状構造体１２は、例えば、ポリプロピレンであり、その目付は、例えば、６００ｇ／ｍ２、その網状体の線形は、例えば、１ｍｍである。
【００１４】
以上説明したように、本実施形態の粒状ベントナイト遮水マット１０によれば、不織布１１と、不織布１１上に一体的に設けられ、不織布１１上に敷設される粒状ベントナイトを保持する立体網状構造体１２と、不織布１１上に敷設される粒状ベントナイトからなるベントナイト層Ｂと、を備えるため、立体網状構造体１２の高さＨを調整することにより、ベントナイト層Ｂの厚さを自由に設定することができる。また、遮水マット１０同士を付き合わせで敷設することができるため、従来の重ね合わせによる接合のような接合不良や重ね合わせ部分のズレが生じることがなく、シームレスで均一化されたベントナイト層Ｂを得ることができる。
【００１５】
また、ベントナイト層Ｂの厚さを自由に設定することができるため、所定の厚さを得るために従来のように遮水マットを積層させる必要がなく、これにより、敷設コスト及び敷設工数を削減することができる。また、従来の遮水マットを使用する場合と比較して、工場加工費用が不要なため、敷設コストを更に削減することができる。
【００１６】
なお、本考案は上記実施形態に例示したものに限定されるものではなく、本考案の要旨を逸脱しない範囲において適宜変更可能である。
例えば、立体網状構造体１２は、上記実施形態の波形に限定されず、その立体形状は任意である。
【符号の説明】
【００１７】
１０    粒状ベントナイト遮水マット
１１    不織布
１２    立体網状構造体
Ｂ    ベントナイト層
Ｈ    立体網状構造体の高さ
【図１】
0003200995.tif 000003
【図２】
0003200995.tif 000004
(57)【要約】      （修正有）【課題】凹部の水平・奥行きおよび結束線の収容用スロットの水平・奥行きが比較的深いため、傘骨の内端部がずれにくく、構造がより安定的な傘のろくろを提供する。【解決手段】傘のろくろは、縦方向の中心貫通孔１１が設けられているろくろ本体と、ろくろ本体の側壁に設けられるろくろの周辺部２とを含み、ろくろの周辺部には、周方向に沿って間隔をおいて凸部２１と傘骨の内端部が挿入する凹部２２とが設けられ、凸部の縦方向中間部は内方向へ凹んでろくろの周辺部の側壁に位置する傘骨の結束線の収容用スロット２３を形成する。凹部２２の水平・奥行きは４〜６ｍｍで、スロット２３の水平・奥行きは２〜４ｍｍである。【選択図】図１
0003200937.tif 000002
【実用新案登録請求の範囲】
【請求項１】
縦方向の中心貫通孔（１１）が設けられているろくろ本体（１）と、該ろくろ本体（１）の側壁に設けられるろくろの周辺部（２）とを含み、前記ろくろの周辺部（２）には、周方向に沿って間隔をおいて凸部（２１）と傘骨の内端部を挿入する凹部（２２）とが設けられ、前記凸部（２１）の縦方向中間部は内方向へ凹んでろくろの周辺部（２）の側壁に位置する傘骨結束線の収容用スロット（２３）を形成しており、
前記凹部（２２）の水平・奥行きは４〜６ｍｍで、前記スロット（２３）の水平・奥行きは２〜４ｍｍであることを特徴とする傘のろくろ。
【請求項２】
前記凹部（２２）の水平・奥行きは５ｍｍであり、前記スロット（２３）の水平・奥行きは２〜４ｍｍであることを特徴とする請求項１に記載の傘のろくろ。
【請求項３】
そのうち一つの凸部（２１）にノッチ（２４）が設けられていることを特徴とする請求項１又は２に記載の傘のろくろ。
【請求項４】
前記ノッチ（２４）の上方の凸部（２１）には、前記ろくろ本体（１）を水平方向に貫通するピン孔（３）が設けられていることを特徴とする請求項３に記載の傘のろくろ。
【考案の詳細な説明】
【技術分野】
【０００１】
本実用新案は、日常的に使用される傘具の構造に関し、特に各傘骨内端部の連結に用いる傘のろくろの構造の改善に関し、長傘と折り畳み傘に適用する。
【背景技術】
【０００２】
従来技術では、雨晴兼用傘のろくろ側壁にろくろの周辺部が設けられ、該ろくろの周辺部には、周方向に沿って間隔をおいて凸部と凹部が設けられ、これらの凹部は傘骨の内端部の収容用であり、そして、金属線の収容用で且つ各傘骨の内端部を直列連結できるように、周辺部には周方向に沿ってスロットも設けられる。従来のろくろ周辺部の凹部の水平・奥行きが約３ｍｍであることに応じて、結束線の収容用スロットの水平・奥行きも僅か１ｍｍ程度であることにより、各傘骨の内端部がろくろの周辺部内に入る長さは比較的小さく、傘骨がずれる現象が発生しやすくなり、ろくろの構造も不安定である。
【考案の概要】
【課題を解決するための手段】
【０００３】
本実用新案が解決しようとする課題は、構造が安定的で、傘骨内端部がずれにくい傘のろくろを提供することである。
【０００４】
本実用新案は、上記技術的問題を解決するために、縦方向の中心貫通孔が設けられているろくろ本体と、該ろくろ本体の側壁に設けられるろくろの周辺部とを含み、前記ろくろの周辺部には、周方向に沿って間隔をおいて凸部と傘骨の内端部を挿入する凹部とが設けられ、前記凸部（２１）の縦方向中間部は内方向へ凹んでろくろの周辺部の側壁に位置する傘骨結束線の収容用スロットを形成しており、前記凹部の水平・奥行きは４〜６ｍｍで、前記スロットの水平・奥行きは２〜４ｍｍであることを特徴とする傘のろくろを設計・製造する技術的解決手段を使用する。
【０００５】
前記凹部の水平・奥行きは５ｍｍで、前記スロットの水平・奥行きは３ｍｍである。
【０００６】
そのうち一つの凸部にノッチが設けられている。
【０００７】
前記ノッチの上方の凸部には、前記ろくろ本体を水平方向に貫通するピン孔が設けられている。
【０００８】
従来の技術に比べ、傘のろくろの凹部の水平・奥行きおよび結束線の収容用スロットの水平・奥行きが比較的深いため、傘骨の内端部がずれにくく、ろくろの構造がより安定的である。
【図面の簡単な説明】
【０００９】
【図１】本実用新案の傘のろくろを底面から見た場合の構造の模式図。
【図２】本実用新案の傘のろくろの縦断面図。
【具体的な実施形態】
【００１０】
以下、添付図面に示す最適実施形態を参照しつつ詳細に説明する。
【００１１】
図１及び図２に示すように、本実用新案の傘のろくろは、ろくろ本体（１）及びろくろの周辺部（２）を含み、前記ろくろ本体（１）には傘の中棒の貫通に用いる縦方向の中心貫通孔（１１）が設けられ、前記ろくろの周辺部（２）は該ろくろ本体（１）の側壁に設けられる。前記ろくろの周辺部（２）には、周方向に沿って間隔をおいて凸部（２１）と傘骨の内端部を挿入する凹部（２２）が設けられ、前記凸部（２１）の縦方向中間部は内方向へ凹んでろくろの周辺部（２）の側壁に位置する傘骨結束線の収容用スロット（２３）を形成する。
【００１２】
本実用新案の特別なところは、前記凹部（２２）とスロット（２３）の水平・奥行きがいずれも従来の傘のろくろより深く、そのうち、前記凹部（２２）の水平・奥行き（ａ）が４〜６ｍｍで、前記スロット（２３）の水平・奥行き（ｂ）が２〜４ｍｍである。本実施形態において、凹部（２２）の水平・奥行き（ａ）は５ｍｍで、スロット（２３）の水平・奥行き（ｂ）は３ｍｍである。したがって、傘骨内端部が凹部（２２）に挿入できる長さがより長くなり、結束線が傘骨を直列連結する位置が凹部（２２）のより深いところに位置し、これにより傘骨内端部が変位して片側に寄ることを効果的に防止し、傘のろくろが比較的広いことにより構造がより安定的である。
【００１３】
図１に示すように、そのうち一つの凸部（２１）にはノッチ（２４）が設けられ、該ノッチ（２４）はちょうど結束線が接続する端部を収容することに用いられ、それの露出を防止し、傘のろくろの外観がより美しく、より安全に使用できる。
【００１４】
前記ノッチ（２４）の上方の凸部（２１）には、前記ろくろ本体（１）を水平方向に貫通するピン孔（３）が設けられ、ビン孔（３）をピンで貫通することで中棒とろくろを一体に固定することができ、且つノッチ（２４）とピン孔（３）は同じ縦方向に位置し、つまり結束線が接続するところがピンと同じ縦方向に位置し、これにより傘のろくろはより整然で美しい。
【００１５】
上記の説明は、本実用新案の最適実施例にすぎず、本実用新案を限定するものではなく、当業者にとって、該実用新案は種々な変更と変化が可能である。本実用新案の要旨と原則範囲内でおこなわれたいかなる変更、等価置換と改善は、いずれも本実用新案の保護範囲内に含まれる。
【図１】
0003200937.tif 000003
【図２】
0003200937.tif 000004
(57)【要約】      （修正有）【課題】快適な睡眠を可能とする一種の保温機能付のベッドマットレスを提供する。【解決手段】ベッドマットレス１０は、マットレス本体と、マットレス本体の内部に設けられた複数の発泡スチロール粒と、マットレス本体の上部に設けられ、発泡スチロール粒が外部に漏れるのを防ぐ保護パック５と、マットレス本体を複数のセルに分離し、発泡スチロール粒の移動を防ぐキルティング構造３と、を備える。ベッドマットレスの使用効果をより改善し、便利に使用することができ、快適さを改善することが可能である。【選択図】図３
0003200933.tif 000002
【実用新案登録請求の範囲】
【請求項１】
マットレス本体と、
前記マットレス本体の内部に設けられた複数の発泡スチロール粒と、
前記マットレス本体の上部に設けられ、前記発泡スチロール粒が外部に漏れるのを防ぐ保護パックと、
前記マットレス本体を複数のセルに分離し、前記発泡スチロール粒の移動を防ぐキルティング構造と、
を備えたことを特徴とする、ベッドマットレス。
【請求項２】
前記マットレス本体の四角に、滑り止めゴムを備えたことを特徴とする、請求項１に記載のベッドマットレス。
【考案の詳細な説明】
【技術分野】
【０００１】
本考案は、ベッドマットレスの技術分野に属し、具体的には、一種の保温機能付のベッドマットレスに関する。
【背景技術】
【０００２】
ベッドマットレスは、消費者が健康的で快適な睡眠を得られるために、体とベッドとの間に介在させるものである。睡眠は健康の元であり、また睡眠の質はベッドマットレスと関係が深い。
【考案の概要】
【考案が解決しようとする課題】
【０００３】
しかしながら、社会文明及び技術発展するとともに、消費者のベッドマットレスに対する期待が一層高まり、従来のベッドマットレスがすでに消費者の期待に満足できない状態になっている。消費者がより快適に睡眠できるためには、現状のベッドマットレスを改善する必要がある。
【０００４】
そこで本考案は、このような問題に鑑みてなされたものであり、その目的とするところは、一種の保温機能付のベッドマットレスを提供し、ベッドマットレスの使用効果をより改善し、必要に応じ便利に使用することができ、ベッドマットレスの快適さを改善することにある。
【課題を解決するための手段】
【０００５】
上記課題を解決するために、本考案によれば、一種の保温機能付のベッドマットレスが提供される。本考案のベッドマットレスは、マットレス本体と、前記マットレス本体の内部に設けられた複数の発泡スチロール粒と、前記マットレス本体の上部に設けられ、前記発泡スチロール粒が外部に漏れるのを防ぐ保護パックと、前記マットレス本体を複数のセルに分離し、前記発泡スチロール粒の移動を防ぐキルティング構造と、を備えたことを特徴とする。
【０００６】
かかる構成によれば、ベッドマットレスのマットレス本体の内部に良好の保温機能付の発泡スチロール粒（ＥＰＳ発泡粒）が充填されている。そして、キルティング加工（網状態立体縫製構造）により、マットレスを複数のセルに分離し、発泡スチロール粒の移動を防ぐことができる。さらに、保護パック（保護用パック）により、表面材料が破損した場合に、発泡スチロール粒が外部に漏れることを防げる。
【０００７】
本考案において、前記マットレス本体の四角に、滑り止めゴムを備えてもよい。斜角状態の滑り止めゴムにより、ベッドマットレスをよりよく固定し、ベッドマットレスが滑ることが防げる。本考案のベッドマットレスは使用しやすく、必要に応じ便利に使用することができる。
【考案の効果】
【０００８】
本考案のベッドマットレスによれば、一種の保温機能付のベッドマットレスを提供し、ベッドマットレスの使用効果をより改善し、必要に応じ便利に使用することができ、ベッドマットレスの快適さを改善することが可能である。
【図面の簡単な説明】
【０００９】
【図１】本考案の一実施形態の底部構造図である。
【図２】本考案の一実施形態の俯瞰構造図である。
【図３】本考案の一実施形態の厚み方向の切断面構造図である。
【考案を実施するための形態】
【００１０】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１１】
本実施形態にかかるベッドマットレスは、一種の保温機能付のベッドマットレスである。ベッドマットレス１０は、図１、図２、図３に示したように、マットレス本体１と、マットレス本体１の四角に設置されている斜角状態の滑り止めゴム２と、マットレス本体１の上部に設置されている保護パック５と、上部に設置されている保護パック５の内部に設置されている複数の発泡スチロール粒（ＥＰＳ発泡粒）４と、マットレス本体１の内部に設置されている複数のキルティング構造（網状態立体縫製構造）３とを含む。
【００１２】
本実施形態では、特に図３に示したように、マットレス本体１の内部に保温機能付の発泡スチロール粒４が充填されている。
【００１３】
また、特に図２、図３に示したように、キルティング構造（網状態立体縫製構造）３により、マットレス本体１を複数のセルに分離し、発泡スチロール粒４の移動を防ぐことができる。
【００１４】
また、特に図３に示したように、保護パック５により、表面材料６が破損した場合、発泡スチロール粒４が外部に漏れることを防げる。この保護パック５は、ダウンジャケットなどに用いられるダウンパックと同様の構造を有するものである。
【００１５】
さらに、特に図１に示したように、斜角状態の滑り止めゴム２により、ベッドマットレス１０をよりよく固定し、ベッドマットレス１０が滑ることを防げる。
【００１６】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００１７】
例えば、上記実施形態では、斜角状態の滑り止めゴム２を設ける構成について説明したが、本考案はこれに限定されない。他の形態の滑り止め手段を設けてもよい。また、滑り止め手段を設けないベッドマットレスとしてもよい。
【産業上の利用可能性】
【００１８】
本考案は、ベッドマットレスの技術分野で利用可能であり、具体的には、一種の保温機能付のベッドマットレスに利用可能である。
【符号の説明】
【００１９】
１  マットレス本体
２  滑り止めゴム
３  キルティング構造
４  発泡スチロール粒
５  保護パック
６  表面材料
１０  ベッドマットレス
【図１】
0003200933.tif 000003
【図２】
0003200933.tif 000004
【図３】
0003200933.tif 000005
(57)【要約】      （修正有）【課題】包丁で食材をカットするときの音を抑えることが出来るまな板を提供する。【解決手段】まな板１は、食材を切断可能なカット面２ａを有する一対のまな板シート２と、一対のまな板シート２の間に配置され、一対のまな板シート２と一体化され、カット面の衝撃を吸収可能な消音シート３で構成されている。【選択図】図１
0003200942.tif 000002
【実用新案登録請求の範囲】
【請求項１】
食材を切断可能なカット面を有する一対のまな板シートと、一対のまな板シートの間に配置され、一対のまな板シートと一体化され、カット面の衝撃を吸収可能な消音シートとを備えるまな板。
【考案の詳細な説明】
【技術分野】
【０００１】
本考案は、まな板に関する。
【背景技術】
【０００２】
従来、平板状の板体の両面に食材を切断するためのカット面を有しているまな板が提案されている（特許文献１参照）。
【先行技術文献】
【特許文献】
【０００３】
【特許文献１】実用新案登録第３１３５１９５号公報
【考案の概要】
【考案が解決しようとする課題】
【０００４】
しかしながら、従来のまな板には、カット面において、食材をカットするときにトントンと響きやすいという欠点があった。
【課題を解決するための手段】
【０００５】
上記目的を達成するために、本考案のまな板1は、食材を切断可能なカット面２a、２bを有する一対のまな板シート２と、一対のまな板シート２の間に配置され、一対のまな板シート２と一体化され、カット面の衝撃を吸収可能な消音シート３で構成している。
【０００６】
まな板１は、上下のまな板シート２の間に消音シート３を組み合わせ、包丁使用時にトントンと響く調理音を、これまでになく最小限に抑える事が出来る。
【考案の効果】
【０００７】
本考案によれば、包丁で食材をカットするときの音を抑えることが出来るまな板を提供できる。
【図面の簡単な説明】
【０００８】
【図１】本考案の実施形態に係るまな板の斜視図である。
【図２】本考案の実施形態に係るまな板の分解図である。
【考案を実施するための形態】
【０００９】
まな板１は、食材を切断可能なカット面２a、２bを有する一対のまな板シート２と、一対のまな板シート２の間に配置され、一対のまな板シート２と一体化され、カット面２a、２bの衝撃を吸収可能な消音シート３とを備える。
【００１０】
まな板１の使用時に包丁で食材をカットするときに、トントンと響かないようにするため、上下のまな板シート２の間に消音シート３を挟んで一体化した。
まな板１はクッション性のある塩化ビニール樹脂で出来た消音シート３の上と下にまな板シート２を貼り合わせた３枚構成で、まな板シート２には抗菌加工を施した撥水性のある柔らかいポリエチレン樹脂を使用。包丁使用時のカッティング音をこれまでになく最小限に軽減することが出来た。
【００１１】
まな板１の望ましい寸法及び材質は、以下のとおりである。
一体化した完成サイズ  
縦２３０ｍｍ、横３４０ｍｍ、厚さ９ｍｍ〜１０ｍｍ
まな板シート２（上下、各１枚）
ポリエチレン樹脂製、厚さ２ｍｍ。
消音シート３
塩化ビニール樹脂製、厚さ５ｍｍ。
なお、まな板１はカット面で食材を切断可能であり、食材カット時に発生する音を抑えることができれば、任意の寸法及び材質で形成することができる。
【符号の説明】
【００１２】
１  まな板
２  まな板シート
２ａ  カット面（表）
２ｂ  カット面（裏）
３  消音シート
【図１】
0003200942.tif 000003
【図２】
0003200942.tif 000004
(57)【要約】      （修正有）【課題】浴槽の周囲に、人が寝そべったり、座ったりして、ゆっくりとくつろぐことのできるデッキ付ジェットバスを提供する。【解決手段】住居用又はオフィス用の建物の屋上、ベランダ、ルーフバルコニー、庭のいずれかに設置されるデッキ付ジェットバス１であって、浴槽２の周囲には、人が寝そべることができる広さを有するデッキ部３と、浴槽２に出入りするための階段部４と、少なくとも浴槽２の上方を覆う天蓋５とが設けられ、浴槽２には噴流水を噴出するための噴出口及び吸水口が設けられ、さらに浴槽２内に湯水を供給するための湯水供給装置を備えている。【選択図】図１
0003200984.tif 000002
【実用新案登録請求の範囲】
【請求項１】
住居用又はオフィス用の建物の屋上、ベランダ、ルーフバルコニー、庭のいずれかに設置されるデッキ付ジェットバスであって、浴槽の周囲には、人が寝そべることができる広さを有するデッキ部と、浴槽に出入りするための階段部と、少なくとも浴槽の上方を覆う天蓋とが設けられ、浴槽には噴流水を噴出するための噴出口及び吸水口が設けられ、さらに浴槽内に湯水を供給するための湯水供給装置を備えているデッキ付ジェットバス。
【請求項２】
前記天蓋は、デッキ付ジェットバスの周囲に設けられた柱又はこの柱の上部に設けられた桁に支持されている請求項１に記載のデッキ付ジェットバス。
【考案の詳細な説明】
【技術分野】
【０００１】
この考案は、住居用又はオフィス用の建物の屋上、ベランダ、ルーフバルコニー、庭のいずれかに設置されるデッキ付ジェットバスに関するものである。
【背景技術】
【０００２】
浴槽の側面や底などに備えた装置から気泡が吹き出る風呂、いわゆるジャグジーは、温泉場や旅館、ホテル、スポーツクラブ、ゴルフ場などの浴場に設置され、その周囲に、くつろぐための椅子又はベッドが用意されていることもある。
【考案の概要】
【考案が解決しようとする課題】
【０００３】
しかし、住居用又はオフィス用の建物にジャグジーを設けることは少なく、しかも寝そべったり、座ったりして、ゆっくりとくつろげる場所を備えるものはなかった。
【０００４】
この考案は、上述の事柄に留意してなされたもので、その目的は、浴槽の周囲に、人が寝そべったり、座ったりして、ゆっくりとくつろぐことのできるデッキ付ジェットバスを提供することである。
【課題を解決するための手段】
【０００５】
上記目的を達成するため、この考案は、住居用又はオフィス用の建物の屋上、ベランダ、ルーフバルコニー、庭のいずれかに設置されるデッキ付ジェットバスであって、浴槽の周囲には、人が寝そべることができる広さを有するデッキ部と、浴槽に出入りするための階段部と、少なくとも浴槽の上方を覆う天蓋とが設けられ、浴槽には噴流水を噴出するための噴出口及び吸水口が設けられ、さらに浴槽内に湯水を供給するための湯水供給装置を備えているデッキ付ジェットバスを提供する（請求項１）。
【０００６】
又、この考案では、前記天蓋は、デッキ付ジェットバスの周囲に設けられた柱又はこの柱の上部に設けられた桁に支持されている請求項１に記載のデッキ付ジェットバスを提供する（請求項２）。
【考案の効果】
【０００７】
この考案では、浴槽の周囲に、人が寝そべることができる広さを有するデッキ部が設けられているので、例えば風呂あがりにデッキ部を利用することにより、仕事や運動後の疲れ癒しに好適で、又、レジャーや旅行で疲れた体を思う存分休めることができ、健康維持や健康回復が期待できる。
【図面の簡単な説明】
【０００８】
【図１】この考案の一実施形態を示す概略説明図である。
【図２】（Ａ）は、上記実施形態で用いる浴槽を示す平面図、（Ｂ）は、上記実施形態で用いる浴槽ならびにデッキ部を示す構成説明図、（Ｃ）は、上記実施形態で用いる浴槽を示す構成説明図である。
【考案を実施するための形態】
【０００９】
以下、図面を用いてこの考案の実施形態について説明する。なお、それによってこの考案は限定されるものではない。図１、図２は、オフィス用の建物、例えば事務所が入っているビルの屋上に設置されているこの考案の一実施形態を示す。尚、図１には浴槽内に湯水を供給するための湯水供給装置（例えば湯水混合栓）は図示していない。
【００１０】
図１、図２において、デッキ付ジェットバス１は、浴槽２を有するジャグジーＪを備えている。そして、浴槽２の周囲には、人が寝そべることができる広さを有する縁台状のデッキ部３が設けられている。４は、浴槽２に出入りするための階段部で、例えば木製で二段に形成されている。三段以上でもよい。５は、日よけ、雨よけ、目隠、防寒等の目的で浴槽２及びデッキ部３の上方を覆う天蓋（例えばテント）で、これは、例えば４本の柱６で支持された桁７に取り付けられている。そして、浴槽２には気泡を含む噴流水を噴出するための複数の噴出口８及び単一の吸水口９が設けられている。図２において、１０は、浴槽２に設けられた湯水混合栓等の水栓であり、デッキ部３とは反対側に設けられている。水栓１０は、浴槽２内に湯水を供給するための湯水供給装置を構成する。更に、デッキ部３は、木製であり、高さは浴槽２の上端ｍよりやや低く設定されている。尚、上記デッキ部３、階段部４は、予め工場等でユニット化しておき現場へ搬入してもよい。又、デッキ部３の上面３ａにマットを載せることもある。又、着脱自在で且つ開閉可能なカーテン（図示せず）を桁７に取付けてもよい。１１は、ジャグジー駆動用のポンプで、水栓１０設置側に設けられており、噴出口８及び吸水口９に連通可能な配管Ｔに接続されている。
【００１１】
そして、ジェットバス１においては、浴槽２の周囲に、人が寝そべることができる広さを有するデッキ部３が設けられているので、例えば風呂あがりにデッキ部３に寝そべったり、座ったりでき、仕事疲れの癒しに好適で、健康維持や健康回復が期待できる。
【００１２】
なお、この考案のデッキ付ジェットバス１は、オフィスビルなどのオフィス用の建物だけでなく、戸建て、マンションなど住居用の建物の屋上、ベランダ、ルーフバルコニー、庭のいずれかに設置してもよい。
【符号の説明】
【００１３】
１            デッキ付ジェットバス
２            浴槽
３            デッキ部
４            階段部
５            天蓋
６            柱
８            噴出口
９            吸水口
１０          湯水供給装置
Ｊ            ジャグジー
【図１】
0003200984.tif 000003
【図２】
0003200984.tif 000004
(57)【要約】      （修正有）【課題】段ボール製パレットと段ボール箱からなる梱包ユニットで、この２つを別の部材を使わずに連結できる段ボールパレットを提供する。【解決手段】段ボールパレット１にパレットと同等のサイズの底板部分２ａとそこから張り出したフラップ部分２ｂからなる段ボールパッドを取り付け、このフラップ２ｂを段ボール箱３の底面の内フラップ３ａと外フラップ３ｂの間に挟み込むことにより、パレットと箱を連結させることを特徴とする。【選択図】図１
0003200758.tif 000002
【実用新案登録請求の範囲】
【請求項１】
段ボール製パレットと段ボール箱からなる梱包ユニットで、パレットと同等のサイズの底部分と、そこから張り出したフラップ部分からなる段ボールパッドをパレットにとりつけ、フラップ付のパレットとし、このフラップを箱の底面の内フラップと外フラップの間に挟み込むことにより、箱とパレットを連結させる構造を特徴とする段ボールパレット。
【考案の詳細な説明】
【技術分野】
【０００１】  本考案は、製品を輸送・保管する際に用いられる段ボールパレットに関すものである。
【背景技術】
【０００２】  通常、重量のある製品を輸送するための段ボール製のパレットは、製品を収容するための段ボール箱を載せて使用している。この段ボール箱はパレットのサイズに合わせてあり、通常はセットで取り扱われている。【０００３】  しかし、このパレットと箱を連結させるためには、ベルトや樹脂製のジョイントなどの別素材の別部品が必要であった。
【先行技術文献】
【特許文献】
【０００４】
【特許文献１】特開２００６−１９９３２８公報
【考案の概要】
【考案が解決しようとする課題】
【０００５】  パレットと箱を連結させるために別部品を使うと、部品点数の増加によるコスト上昇と梱包作業の手間が増加する問題があった。【０００６】  また、通常は別の素材を使うため、リサイクルの時の分別が問題となっていた。【０００７】  そこで、別部品を使わずにパレットと箱を連結することで、コストの上昇を招くことなく、リサイクルも容易な段ボール製パレットを提供することを目的とする。
【課題を解決するための手段】
【０００８】  本考案は、段ボールパレットにパレットと同等のサイズの底板にフラップの付いた段ボールのパッドをとりつけ、このフラップを箱底面の内フラップと外フラップの間に差し込むことにより、パレットと箱を連結させることを特徴とする段ボールパレットである。
【考案の効果】
【０００９】  本考案はパレットについているフラップを箱に差し込むだけで固定ができるため、別の部材を必要とせず、段ボールの単一素材で梱包ユニットの作成が可能となる利点がある。
【図面の簡単な説明】
【００１０】
【図１】この考案の実施形体の梱包ユニットの１例を示す斜視図である。
【図２】段ボールパレットにパッドを取り付けた状態を示す斜視図
【図３】箱の展開図
【図４】組み付け要領を示す側面図
【図５】組み付け後のパレットと箱の関係を示す断面図
【考案を実施するための形態】
【００１１】  以下には、図面を参照して、この考案の実施形態について具体的を説明する。
図１は本考案の実施形体の梱包ユニットの１例を示す斜視図であり、作業イメージとして片側のみを差し込んだ状態を示している。梱包ユニットにはパレット１とそれに取り付けられた連結用のパッド２と、梱包用の箱３を備えている。
【００１２】  図２はパレット１とそれに取り付けられた連結用のパッド２の斜視図を示す。
パレット１は通常の輸送用に使われるパレットであり、段ボールパレットもしくは、その他の素材のパレットを示す。
連結用パッド２はパレットと同等サイズの底板部分２ａとそこから張り出したフラップ２ｂからなる。なお、このフラップ２ｂはパレットよりも小さいサイズにすると、箱３との連結がしやすくなる。
【００１３】  パッド２はパレット１に取り付け、一体もののパレットにする。
【００１４】  図３は箱３の展開図を示す。箱３は一般に使われている箱と同じ構造である。なお、パッドのフラップ２ｂが差し込まれる部分にスリット３ｃを追加するとパレットとの連結がしやすくなる。
【００１５】  図４はパレットと箱の連結要領を示した側面視を示す。
連結の手順は組み立てた箱の底面の内フラップ３ａをさらに折り曲げ、内フラップ３ａと外フラップ３ｂと隙間に、パッドのフラップ２ｂを差し込む。
【００１６】  図５は連結後のパレットと箱の関係を表す断面図を示す。
連結後は内フラップ３ａを倒し、外フラップ３ｂと内フラップ３ａの間に、パレットのフラップ２ｂを挟み込む。
輸送中は中に物が入るため、内ラップ３ａが起き上がることがなく、押さえの効果もあるため、強固な連結となる。
【００１６】  これにより、別の部材を使わずに箱とフラップの連結が可能となり、単一素材での作成も可能となる。
【符号の説明】
【００２０】  １    パレット
２    パッド
２ａ  パッド底板部分
２ｂ  パッド  フラップ部分
３    箱
３ａ  箱  内フラップ部分
３ｂ  箱  外フラップ部分
３ｃ  箱  外フラップ  スリット部分
【図１】
0003200758.tif 000003
【図２】
0003200758.tif 000004
【図３】
0003200758.tif 000005
【図４】
0003200758.tif 000006
【図５】
0003200758.tif 000007
(57)【要約】      （修正有）【課題】踏み台を必要とせず、安全に照明器具を取付けられ、取付けた際に頭をぶつける危険性の少ない照明器具を提供する。【解決手段】天井に照明器具を取付けた際、手を伸ばせば届く程度に鉛直方向に長い形状の照明器具であり、照明部２の鉛直方向の上底に天井給電部への接続端子１を有し、下底にハンドル３を設ける。一般建築の天井高さは２ｍ５０ｃｍから２ｍ７０ｃｍが多い事から、長さを５０ｃｍから７０ｃｍとすれば、取付けた際、１ｍ８０ｃｍから２ｍの空間を確保でき、頭をぶつける危険性を低くする事ができる。【選択図】図１
0003200760.tif 000002
【実用新案登録請求の範囲】
【請求項１】
天井給電部への接続端子と照明部からなる照明器具であり、照明部は天井給電部に取付けた際に手が届くほど鉛直方向に長い形状の照明器具。
【請求項２】
照明部の鉛直方向の上底に天井給電部への接続端子を有し、下底にハンドルを設けている
請求項１の照明器具。
【考案の詳細な説明】
【技術分野】
【０００１】    本考案は、照明器具を取付ける際に踏み台を必要としない照明器具に関するものである。
【背景技術】
【０００２】    天井に照明器具を取付ける際、何らかの踏み台を用いて照明器具を取付けていた。長尺の照明器具は考案されていたが、その長さゆえにぶつかる可能性があった。
【先行技術文献】
【特許文献】
【０００３】
【特許文献１】実用新案登録３０６７０６１号公報
【考案の概要】
【考案が解決しようとする課題】
【０００４】    照明器具を天井に取付ける際、人間が手を伸ばしただけでは照明器具を取付ける事が出来ず、何らかの踏み台を探す手間と、作業中の転倒などの怪我をする可能性があると共に、取付け後の照明器具の長さによっては頭をぶつける可能性がある。そこで、本考案は、上記問題を鑑みて、最適な長さと形状を有する照明器具を提供するものである。
【課題を解決するための手段】
【０００５】    本考案は、給電部と照明部からなる照明器具である。照明部は、踏み台が無くても照明器具に手が届くほど鉛直方向に長い形状とする。例えば、一般家庭の場合、天井の高さが２５０ｃｍから２７０ｃｍであることを前提とし、成人の身長を１５０ｃｍから１８０ｃｍと考えた場合照明器具の長さを概ね５０ｃｍ〜７０ｃｍ以内とすることで、取付けた際に頭をぶつける心配が無い。また、照明部にハンドルを設ける等の工夫をする事で容易に取付ける事ができる。
工事業者や入居したばかりの住人にとっては一時的に利用する照明器具として容易かつ安全である。
【考案の効果】
【０００６】天井に照明器具を取付ける際、何らかの踏み台を探す手間も省け、安全かつ容易に取付ける事ができる。照明器具を天井に取付けても頭をぶつける心配がない。
【図面の簡単な説明】
【０００７】
【図１】本考案の鉛直方向に長い照明器具の一実施例を示す斜視図である。
【考案を実施するための形態】
【０００８】照明部の一端にハンドルを設け、持ちやすくする。
【実施例】
【０００９】以下、添付図面に従って一実施例を説明する。１は天井給電部への接続端子、２は照明部であり概ね５０〜７０ｃｍの長さを有し、３は照明器具を持ちやすくするためのハンドルである。
【符号の説明】
【００１０】１は給電部への接続端子
２は照明部
３はハンドル
【図１】
0003200760.tif 000003
(57)【要約】      （修正有）【課題】トイレマットの汚れを軽減することができるトイレマットの上に敷く使い捨てシーツを提供する。【解決手段】トイレマットの上にトイレマットと形状的に齟齬がないような形に成形された表面材３、消臭剤を含んだ吸収材５、防水材６、粘着材４が層状に重なった薄いシートを敷く。【選択図】図２
0003200757.tif 000002
【実用新案登録請求の範囲】
【請求項１】
表面材、消臭剤を含んだ吸収材、防水材が粘着材によって結合され薄い層のシート状になったものが、トイレマットの上に置かれた時前記トイレマットの形状と形状的に齟齬がないように便器の外部の下部の部分に沿うように一部が切り取られて成形されたことを特徴とするトイレマットの上に敷く使い捨てシーツ。
【考案の詳細な説明】
【技術分野】
【０００１】  本考案は、繰り返し洗濯して使用できるトイレマットの上に敷いてトイレマットの汚れを軽減させる使い捨てシートに関するものである。
【背景技術】
【０００２】  高齢者や療養中の人がトイレを使用する場合トイレマットを汚しがちになり、洗濯回数が増える傾向にあった。
【考案の概要】
【考案が解決しようとする課題】
【０００３】  汚れがちな条件下で使用されているトイレマットの汚れを軽減する。
【問題を解決するための手段】
【０００４】  本考案は、トイレマットの上にトイレマットと同じ形状をした薄い使い捨てシーツを重ねて置くことでトイレマットの汚れを軽減する。
【考案の効果】
【０００５】  トイレマットの汚れを軽減し、結果トイレマットの洗濯回数を減らすことができる。また、使い捨てシーツの吸収材に含まれる消臭剤によって尿臭を軽減することができる。
【図面の簡単な説明】
【０００６】
【図１】トイレマットの上に重ねて置かれた使い捨てシーツ
【図２】トイレマットの上に敷く使い捨てシーツの形状と断面図の一部
【考案を実施するための形態】
【０００７】  トイレマットの上に敷く使い捨てシーツは、表面材、消臭材を含む吸収材、それらを結合する粘着材の薄い材料から構成され、置いたときにトイレマットの形状とぴったり合うように成形されたものである。
【実施例】
【０００８】  以下添付図に従って、一実施例を説明する。１は、トイレマットの上に敷く使い捨てシーツの本体であり、トイレマットと重ねて置いた時ぴったりと合うように便器の下部の形に沿うよう成形されている。３の表面材、４の粘着材、５の消臭剤材を含んだ吸収材、６の防水材が層のように薄く合わさったものである。
【符号の説明】
【０００９】１  トイレマットの上に敷く使い捨てシーツ本体
２  便器下部に沿うよう切り取られた部分
３  表面材
４  粘着材
５  消臭剤を含んだ吸収材
６  防水材
【図１】
0003200757.tif 000003
【図２】
0003200757.tif 000004